(57)【特許請求の範囲】
【請求項１】
釣竿に設けられ、魚釣用リールの取付脚部の一方側を受けてこれを係止させる第１の係止部を有するシート本体と、
シート本体の外周に装着され、魚釣用リールの取付脚部の他方側を受けてこれを係止させる第２の係止部を有するとともに、シート本体の長手方向に沿って移動可能な移動フードと、
移動フードに回転可能に連結されるとともに、シート本体に螺着され、移動フードをシート本体の長手方向に沿って移動させるナット部材と、
を具備し、
移動フードとナット部材とにはそれぞれ互いに当接する当接面が設けられ、
前記各当接面の径方向外側部位は、シート本体に対するナット部材の締込み回転操作によって魚釣用リールの取付脚部が前記第１および第２の係止部間で挟持される際に、互いに圧接される圧接面として形成され、
前記各当接面の径方向内側部位には、弾性体とこの弾性体が係脱可能に係合する係合部とから成り且つナット部材の回転時にクリック音を発生させるクリック機構が設けられていることを特徴とする釣竿のリール装着装置。
【請求項２】
釣竿に設けられ、魚釣用リールの取付脚部の一方側を受けてこれを係止させる第１の係止部を有するシート本体と、
シート本体の外周に装着され、魚釣用リールの取付脚部の他方側を受けてこれを係止させる第２の係止部を有するとともに、シート本体の長手方向に沿って移動可能な移動フードと、
移動フードに回転可能に連結されるとともに、シート本体に螺着され、移動フードをシート本体の長手方向に沿って移動させるナット部材と、
を具備し、
移動フードとナット部材とにはそれぞれ、シート本体に対するナット部材の締込み回転操作によって魚釣用リールの取付脚部が前記第１および第２の係止部間で挟持される際に互いに圧接される圧接面と、これら圧接面に作用する圧接力が及ばない非圧接面とが設けられ、
前記各非圧接面には、弾性体とこの弾性体が係脱可能に係合する係合部とから成り且つナット部材の回転時にクリック音を発生させるクリック機構が外部に露出することなく設けられていることを特徴とする釣竿のリール装着装置。
【請求項３】
移動フードとナット部材は、その連結部の外側形状が円筒状に形成され、連結部でその外径が略同一に設定されていることを特徴とする請求項１または請求項２に記載のリール装着装置。
【発明の詳細な説明】
【０００１】
【発明の属する技術分野】
本発明は、魚釣用リールを釣竿に装着するために釣竿に設けられるナット式のリール装着装置に係わり、特に、ナットの回転によってクリック音を発生させるクリック機構を有するリール装着装置に関する。
【０００２】
【従来の技術】
魚釣用リールを釣竿に装着するために釣竿に設けられるナット式のリール装着装置は、一般に、筒状リールシートやキャスティングハンドルに設けられるリールシートとも呼ばれるもので、魚釣用リールの取付脚部の一方側が係止される係止部および雄ネジ部を有するシート本体と、魚釣用リールの取付脚部の他方側が係止される係止部を有する移動フードと、前記シート本体の雄ネジ部に螺合する雌ネジ部を有し且つ移動フードをシート本体に沿って移動させるナット部材とを備えている。なお、シート本体は、釣竿と一体に形成されるか、あるいは、釣竿と別体で形成されて釣竿に固定される。
【０００３】
このような構成のリール装着装置では、魚釣用リールの取付脚部の一方側をシート本体の係止部に係止させた状態で、ナット部材を回転させて移動フードの係止部をシート本体の係止部に接近させると、魚釣用リールの取付脚部の他方側が移動フードの係止部に係止される。そして、この状態で、さらにナット部材を締め込んで（回転させて）、ナット部材を移動フードに圧接させると、移動フードおよびシート本体の両係止部によって魚釣用リールの取付脚部が強固に挟持され、魚釣用リールが釣竿にしっかりと固定される。
【０００４】
ところで、前記リール装着装置の中には、ナット部材の緩みを防止する緩み防止機構を備えたものがある。例えば、特開平１０−５２１９５号公報には、ナット部材側に設けられ且つナット部材の周方向に沿って配列された複数の丸穴と、移動フード側に設けられ且つバネによって前記丸穴に向けて付勢された位置決めピンとからなる緩み防止機構を備え、位置決めピンが丸穴に係止されることによりナット部材の緩みが防止されるとともに、ナット部材の回転によって丸穴に対する位置決めピンの係脱が繰り返されることによりクリック音が発生するリール装着装置が開示されている。
【０００５】
【発明が解決しようとする課題】
ナット部材の回転に伴う前記クリック音は、ナット部材の締め付け具合等を使用者に知らせる上で有益である。しかし、前記緩み防止機構は、主としてナット部材の回り止めとしての機能を果たしているため、クリック音を発生させることを主目的として利用する場合にはいくつかの問題を有している。以下、この問題点について述べる。なお、以下では、前記緩み防止機構をクリック機構と称することにする。
【０００６】
前述したように、前記公報に開示されたリール装着装置では、クリック機構がナット部材の回り止めとして主に利用されているため、移動フードとナット部材とがクリック機構を介して圧接され、互いに圧接する位置決めピンと丸穴との係止状態によって移動フードに対するナット部材の回転が規制されている。
【０００７】
また、前記公報に開示されたリール装着装置では、クリック機構の配置スペースを別に確保するために、移動フードの一部に径方向外側に突出する突出部が形成され、この突出部に前記位置決めピンが配設されるとともに、位置決めピンが係止される丸穴を有するリング部がナット部材に固着されて移動フードとナット部材との間すなわち移動フードとナット部材との圧接部に位置されている。
【０００８】
しかしながら、このように、移動フードの一部に位置決めピンを配設するための突出部を形成すると、移動フードの外面に段差が形成され、操作時（実釣時）に指が段差に引掛かってしまう（操作性が悪くなる）という問題がある。
【０００９】
また、前記公報に開示された技術では、クリック機構を圧接部として機能させているため、ナット部材を強く絞め込んだ際に、クリック音が小さくなったり、クリック音が出なくなる場合（ナット部材の締め付け状態を音で知ることができなくなる場合）がある。
【００１０】
また、前記公報に開示された技術では、位置決めピンと丸穴とが圧接力によって係止されてナット部材が回り止めされるため、ナット部材を強く締め付けすぎると、位置決めピンに大きな回動方向の負荷がかかり、ナット部材が固着して、ナット部材を緩めることができなくなる虞がある。そのため、クリック機構の耐久性が悪くなり、長期間の使用が難しくなる。
【００１１】
また、前記公報に開示された技術において、丸穴が形成されたリング部の外周部分は、突出部と対向し得るように（丸穴に位置決めピンを係止させることができるように）、突出部と同様、移動フードの外面から径方向外側に突出している。したがって、突出部と対向していないリング部の外周部位は移動フードの径方向外側で外部に露出した状態となっている。すなわち、位置決めピンと係合していない丸穴はその一部が外部に露出した状態となっている。そのため、実釣時、露出した丸穴内にゴミや砂等が侵入したり、コマセが付着した手がリング部に触れて丸穴内にコマセが詰まってナット部材が作動不良を起こす（回動しなくなる）虞がある。
【００１２】
本発明は前記事情に着目してなされたものであり、その目的とするところは、常に良好なクリック音が得られるとともに、耐久性に優れ、しかも、不純物の侵入によって作動不良を起こさない操作性の良好な釣竿のリール装着装置を提供することにある。
【００１３】
【課題を解決するための手段】
前記課題を解決するために、請求項１に記載された釣竿のリール装着装置は、釣竿に設けられ、魚釣用リールの取付脚部の一方側を受けてこれを係止させる第１の係止部を有するシート本体と、シート本体の外周に装着され、魚釣用リールの取付脚部の他方側を受けてこれを係止させる第２の係止部を有するとともに、シート本体の長手方向に沿って移動可能な移動フードと、移動フードに回転可能に連結されるとともに、シート本体に螺着され、移動フードをシート本体の長手方向に沿って移動させるナット部材とを具備し、移動フードとナット部材とにはそれぞれ互いに当接する当接面が設けられ、前記各当接面の径方向外側部位は、シート本体に対するナット部材の締込み回転操作によって魚釣用リールの取付脚部が前記第１および第２の係止部間で挟持される際に、互いに圧接される圧接面として形成され、前記各当接面の径方向内側部位には、弾性体とこの弾性体が係脱可能に係合する係合部とから成り且つナット部材の回転時にクリック音を発生させるクリック機構が設けられていることを特徴とする。
【００１４】
この請求項１に記載された発明によれば、ナット部材の締め付け時の強い応力がクリック機構に直接作用することがなく、ナット部材の締め付け具合によらず常に良好で安定したクリック音を得ることができる。また、大きな回動方向の負荷がクリック機構に作用することがないため、クリック機構の耐久性が良好となり、長期間の使用が可能になるとともに、軽い力量でナット部材を円滑に回動操作することできる。また、ナット部材および移動フードの圧接面の径方向内側にクリック機構が設けられているため、リールが装着されてナット部材が締め付けられた状態では、クリック機構が外部から遮断される。したがって、クリック機構への不純物（ゴミ、砂、コマセ等）の侵入が防止され、クリック機構の作動不良および破損が防止される。
【００１５】
また、請求項２に記載された釣竿のリール装着装置は、移動フードとナット部材とにそれぞれ、シート本体に対するナット部材の締込み回転操作によって魚釣用リールの取付脚部が前記第１および第２の係止部間で挟持される際に互いに圧接される圧接面と、これら圧接面に作用する圧接力が及ばない非圧接面とが設けられ、前記各非圧接面に、弾性体とこの弾性体が係脱可能に係合する係合部とから成り且つナット部材の回転時にクリック音を発生させるクリック機構が外部に露出することなく設けられていることを特徴とする。
【００１６】
この請求項２に記載された発明によれば、ナット部材の締め付け時の応力がクリック機構に作用することが防止され、ナット部材の締め付け具合によらず常に良好で安定したクリック音を得ることができる。また、回動方向の負荷がクリック機構に作用することを防止できるため、クリック機構の耐久性が良好となり、長期間の使用が可能になるとともに、軽い力量でナット部材を円滑に回動操作することできる。また、クリック機構が外部に露出することなく設けられているため、クリック機構への不純物（ゴミ、砂、コマセ等）の侵入が防止され、クリック機構の作動不良および破損が防止される。
【００１７】
また、請求項３に記載された発明は、請求項１または請求項２に記載された発明において、移動フードとナット部材は、その連結部の外側形状が円筒状に形成され、連結部でその外径が略同一に設定されていることを特徴とする。
【００１８】
この請求項３に記載された発明によれば、釣竿を把持し易く、釣竿を操作し易い。
【００１９】
【発明の実施の形態】
以下、図面を参照しつつ本発明の実施形態について説明する。
【００２０】
図１〜図３および図６は本発明の第１の実施形態を示している。図１に示されるように、本実施形態に係るリール装着装置としてのリールシート１は、釣竿の竿管２の手元部（竿尻側端部）に設けられている。図１〜図３に示されるように、リールシート１は、内部に竿管２が貫通して装着される合成樹脂からなる略筒状のシート本体４と、シート本体４の外周に装着され且つシート本体４の長手方向に沿って移動可能な移動フード６と、移動フード６に連結されてシート本体４に螺着されるとともに移動フード６をシート本体４の長手方向に沿って移動させるナット部材８とを備えている。なお、本実施形態において、シート本体４は、竿管２と別体に形成されて竿管２に接着剤等によって固定されているが、竿管２と一体に形成されていても良い。
【００２１】
シート本体４の基端部には、図示しない魚釣用リールの取付脚部の一方側を受けてこれを係止させる第１の係止部としての固定フード１０が形成されている。この固定フード１０は、リールの取付脚部が挿入される空間と、この空間内に前記取付脚部を導入するための開口１２とを有している。また、シート本体４には、前記取付脚部を載置するための平坦なリール脚載置部１４が形成されている。また、シート本体４の先端側の外周面の一部には、雄ネジ１６が形成されている。なお、固定フード１０とリール脚載置部１４と雄ネジ１６は、シート本体４と一体形成されることが望ましいが、別体に形成しても良く、取付け形態は任意である。
【００２２】
移動フード６は、筒状のフード本体２２と、フード本体２２の基端部に固着され且つ魚釣用リールの取付脚部の他方側を受けてこれを係止させる第２の係止部としてのリール脚受け部２４とからなる。リール脚受け部２４は、例えば合成樹脂によって形成されており、リールの取付脚部が挿入される空間と、この空間内に前記取付脚部を導入するための開口２６とを有している。
【００２３】
フード本体２２は金属または合成樹脂等によって形成されている。フード本体２２の先端は、径方向内側に折り曲げられており、ナット部材８と連結される連結部２２ａを形成している。また、連結部２２ａの外面は、ナット部材８が締め付けられるリール装着時にナット部材８と当接する環状の当接面２３を形成している。
【００２４】
フード本体２２の基端部には、その周方向の一部に、径方向内側に突出する凸部２２ｂが形成されている。この凸部２２ｂは、シート本体４の長手方向に沿って形成された長溝２０と係合しており、シート本体４に対する移動フード６の回転を防止している。したがって、移動フード６は、シート本体４に対して回転することなくシート本体４の軸方向（長手方向）に沿ってのみ移動できる。
【００２５】
ナット部材８は、筒状を成しており、シート本体４の先端側外周に回転可能に装着されている。具体的には、ナット部材８は、ナット本体３０と、ナット本体３０の基端部外周面に固定された補強リング３２とからなり、ナット本体３０の内周面に形成された雌ネジ２８がシート本体４の雄ネジ１６と螺合している。
【００２６】
ナット本体３０の外周面には、滑り止めの凹凸３１が形成されている。ナット本体３０の基端には、移動フード６の連結部２２ａに係合する連結部３０ａが設けられている。この連結部３０ａは、ナット本体３０の基端面から延出するとともに連結部２２ａを通じて移動フード６内に挿入可能な延出部３３と、この延出部３３の端部に形成され且つ延出部３３の径方向外側に突出する係合凸部３５とからなる。係合凸部３５は、移動フード６に対するナット本体３０の回転を許容するように連結部２２ａと係合するとともに、移動フード６内で連結部２２ａの内面と当接して、移動フード６からのナット本体３０の抜けを防止する。
【００２７】
補強リング３２は、金属材料、特に耐食性のあるＳＵＳ、ＢＳ、チタン、Ａｌ等によって形成されている。無論、他の金属や、セラミックス、合成樹脂等によって形成されていても良い。補強リング３２の基端３２ａは、径方向内側に折り曲げられ、ナット本体３０の基端面に沿って延出部３３に向けて延びており、移動フード６の当接面２３と当接するナット部材８の当接面（環状）２５を形成するとともに、後述する弾性体４０を支持する支持体として機能している。
【００２８】
移動フード６とナット部材８との連結部には、ナット部材８の回転時にクリック音を発生させるクリック機構が設けられている。このクリック機構は、ナット部材８の当接面２５の径方向内側（当接面２５の中間部よりも径方向内側…図３参照）に配設された弾性体４０と、移動フード６の当接面２３の径方向内側に形成され且つ弾性体４０と係合可能な係合部としての凹部４１とからなる。凹部４１は、連結部２２ａの周方向に沿って所定の間隔で形成された複数の貫通孔４１ａからなる。
【００２９】
図６に拡大して示されるように、弾性体４０は、バネ４２と、バネ４２の端部に固定された凸部４３とからなり、ナット本体３０の穴２９内に配設されている。穴２９は、ナット本体３０の長手方向に沿って形成され、当接面２５の径方向内側で開口している。凸部４３は、バネ４２によって穴２９の開口から突出する方向すなわち凹部４１と係合する方向に常時付勢されており、補強リング３２の折り曲げられた基端部３２ａによって支持されてその突出量が規制されている。
【００３０】
なお、弾性体４０の凸部４３は、ナット本体３０の径方向に沿うその高さ寸法が小さく、ナット本体３０の周方向に沿うその幅寸法が大きく設定されている。また、凸部４３の形状は、球状など、様々に設定することができる。また、弾性体４０のバネ４２は、１つの弾性材料によって形成されていても良いが、複数種の材料を組み合わせることによってバネ性が得られるようにしても良い。また、凸部４３（あるいは、弾性体４０全体）と凹部４１（あるいは、連結部２２ａ全体）は、バネ力によって互いに圧接して擦れる部位であるため、腐食しない材料、例えば、ＳＵＳ、ＢＳ材等の金属や、セラミックス、硬質樹脂（ＡＢＳやナイロン）等によって形成されていることが好ましい。無論、バネ鋼やその他任意の材料を用いることもできる。
【００３１】
ところで、このようなクリック機構において、ナット部材８の１回転当たりのクリック音の数は、弾性体４０の凸部４３と係合する凹部４１の数によって、すなわち、移動フード６の連結部２２ａの周方向に沿って形成される貫通孔４１ａの数によって決定される。本実施形態において、貫通孔４１ａの数は、２０個〜３６個の範囲内に設定されている。貫通孔４１ａの数が３６個の場合、ナット部材８が１０度回転する毎にクリック音が１回発生し、貫通孔４１ａの数が２０個の場合には、ナット部材８が１８度回転する毎にクリック音が１回発生する結果となる。このように、貫通孔４１ａの数を２０個〜３６個の範囲内に設定すると、ナット部材８の締め付け状態を音で容易に感知することができ、締め付け管理し易くなる。無論、貫通孔４１ａの数（クリック音の発生回数）を２０よりも小さく或いは３６よりも大きく設定しても良い。ただし、ナット部材８の１回転当たりに発生するクリック音の数が多い（貫通孔４１ａ数が３６を越える）と、ナット部材８の回転時の回転角度を判別しにくく、また、ナット部材８の１回転当たりに発生するクリック音の数が少ないと（貫通孔４１ａの数が２０未満だと）、クリック音を発生させるために必要なナット部材８の回転角度が大きくなりすぎて好ましくない。
【００３２】
また、ナット部材８および移動フード６は、クリック機構が配設される部位の厚さ（肉厚）が、３ｍｍ以上、好ましくは５ｍｍ±２ｍｍに設定されている。また、ナット部材８および移動フード６は、クリック機構が配設される部位の外径が、２０ｍｍ〜３３ｍｍ、好ましくは２１ｍｍ〜２９ｍｍの範囲内に設定されている。また、ナット部材８と移動フード６との接続部外周面において段差が極力生じないように、ナット部材８と移動フード６は、クリック機構が配設される部位の外径が略同一（段差は０．５ｍｍ以内）に設定されている。無論、これらの寸法に限定されるものではなく、これより大きく設定しても良く、また、小さく設定しても良い。
【００３３】
次に、上記構成のリールシート１を用いてリールを釣竿に装着する方法について説明する。
【００３４】
まず、ナット部材８をシート本体４に対して一方向に回転させて緩め、移動フード６を固定フード１０から離間させるようにナット部材８とともに先端側（竿の穂先側）に移動させる。次に、図示しないリールの取付脚部をリール脚載置部１４に載置するとともに、リールの取付脚部の一方側を固定フード１０内に挿入して係止させる。
【００３５】
続いて、ナット部材８をシート本体４に対して他方向に回転させて締め、移動フード６を固定フード１０に接近させるようにナット部材８とともに基端側（竿尻側）に移動させる。この時、移動フード６は、凸部２２ｂが長溝２０に係合することによりシート本体４に対する回転が規制されているため、シート本体４に対して回転することなくシート本体４の軸方向（長手方向）に沿ってのみ移動する。その結果、ナット部材８側に設けられた弾性体４０の凸部４３が移動フード６側の貫通孔４１ａに繰り返し衝突して、クリック音が発生する。
【００３６】
このような状態で、ナット部材８をさらに回転させて、リール脚受け部２４内にリールの取付脚部の他方側を挿入させて係止させるとともに、さらにナット部材８を強く締め込むと、移動フード６の当接面２３の径方向外側部分とナット部材８の当接面２５の径方向外側部分２５ａ（図３参照）とが互いに圧接し、移動フード６と固定フード１０との間でリールの取付脚部がきつく挟持される。これにより、リールがリールシート１を介して釣竿に取り付け固定される。また、この状態からナット部材８が回転すると、クリック音が発生するため、ナット部材８の緩みを直ちに判断することができる。
【００３７】
以上説明したように、本実施形態のリールシート１では、移動フード６およびナット部材８の当接面２３，２５の径方向内側にクリック機構が設けられており、実質的に当接面２３，２５の径方向外側部分が圧接面として機能するようになっている。すなわち、クリック機構は、ナット部材８の締め付け力が直接作用する当接面２３，２５の径方向外側部位（圧接面）には設けられていない。したがって、ナット部材８の締め付け時の強い応力がクリック機構に直接作用することがなく、ナット部材８の締め付け具合によらず常に良好で安定したクリック音を得ることができる。また、大きな回動方向の負荷がクリック機構に作用することがないため、クリック機構の耐久性が良好となり、長期間の使用が可能になるとともに、軽い力量でナット部材８を円滑に回動操作することできる。
【００３８】
また、仮にナット部材８と移動フード６との間に倒れや遊びがあった場合でも、当接面２３，２５の径方向外側部位同士がまず圧接した後に、弾性体４０の凸部４３と凹部４１とが係合するため、異常な方向からの負荷がクリック機構に作用することもない。
【００３９】
また、このように、ナット部材８および移動フード６の圧接面（当接面２３，２５の径方向外側部分）の径方向内側にクリック機構が設けられていると、リールが装着されてナット部材８が締め付けられた状態では、クリック機構が外部から完全に遮断される（移動フード６およびナット部材８の内側にクリック機構がシール状態で保護されて外部に露出しない）。したがって、クリック機構への不純物（ゴミ、砂、コマセ等）の侵入が防止され、クリック機構の作動不良および破損が防止される。
【００４０】
また、本実施形態のリールシート１において、ナット部材８と移動フード６は、その接続部外周面に段差が殆ど（或いは、全く）形成されないように、クリック機構が配設される部位の外径が略同一に設定されている（段差は、０．５ｍｍ以内、より好ましくは、０．２ｍｍ以内に設定され、端部がＲ状で手が痛くならないように形成されている）。また、ナット部材８および移動フード６は、クリック機構が配設される部位の厚さ（肉厚）が、３ｍｍ以上、好ましくは５ｍｍ±２ｍｍに設定されるとともに、クリック機構が配設される部位の外径が、２０ｍｍ〜３３ｍｍ、好ましくは２１ｍｍ〜２９ｍｍの範囲内に設定されている。したがって、クリック機構を配設し易く、把持し易く、また、操作し易い。
【００４１】
また、本実施形態のリールシート１では、ナット部材８の当接面２５が補強リング３２によって形成されているため、当接面２５（特に、圧接面２５ａ）の強度を向上させることができる。無論、補強リング３２を用いずにナット本体３０（もしくは、ナット本体３０の基端面）を強度の高い部材で形成しても良い。例えば合成樹脂で形成すれば、軽量化でき、製作も容易となる。
【００４２】
また、本実施形態のリールシート１において、弾性体４０の凸部４３は、補強リング３２の径方向内側に折り曲げられた基端３２ａ（支持体）によって支持されている。したがって、弾性体４０を保護することができるとともに、凸部４３の動作および動作量を安定化できる。
【００４３】
また、本実施形態のリールシート１において、弾性体４０の凸部４３は、ナット本体３０の径方向に沿うその高さ寸法が小さく、ナット本体３０の周方向に沿うその幅寸法が大きく設定されている。したがって、凸部４３と凹部４１（貫通孔４１ａ）との接触角度を緩やかにして、ナット部材８を回動し易くできるとともに、クリック機構を径方向で小型化できる。
【００４４】
なお、本実施形態においては、フード本体２２をナット部材８と同様の材料によって形成してもよい。また、本実施形態において、クリック機構は、弾性体４０がナット部材８側に設けられ、凹部４１が移動フード６側に設けられているが、この逆の配設形態を採用しても良い（後述する第２の実施形態参照）。また、弾性体４０や凹部４１は、移動フード６やナット部材８に直接に設けられている必要はなく、例えば、他の部材を介して設けられていても良い。
【００４５】
また、弾性体４０は、その凸部４３が移動フード６側の凹部４１に対して付勢されてクリック音を発生し得る形態であれば良く、一部品で形成されていても良く、また、複数部品を組み合わせて形成されていても良い。また、図７に示されるように、弾性体４０を１つのユニットとして形成しても良い。すなわち、図７に示される弾性体４０は、支持カバー４７と、支持カバー４７内に収容されたバネ４２と、支持カバー４７内に位置されてバネ４２によって付勢された凸部４３とからなる。凸部４３は、支持カバー４７の折り曲げられた端部４７ａによって支持され、これにより、支持カバー４７からの抜けが防止されるとともに、動作および動作量が安定化されている。このように、弾性体４０をユニット化すれば、ナット本体３０の穴２９内に弾性体４０を部品セットで着脱でき、弾性体４０の組立および交換がスムーズに行なえる。なお、支持カバー４７の内奥端部と凸部４３の先端との間の距離Ｌを１０ｍｍ以上の可能な範囲で長く設定すれば、クリック音を高く大きくすることができる。
【００４６】
図４は本発明の第２の実施形態を示している。なお、本実施形態において、第１の実施形態と共通する構成部分については、同一符号を付してその説明を省略する。
【００４７】
本実施形態のリールシート１Ａにおいて、ナット本体３０は強度の高い材料（金属、合成樹脂、繊維強化合成樹脂等）によって形成されている。そのため、ナット部材８には第１の実施形態のように補強リング３２（図２参照）が設けられていない。また、ナット本体３０の基端面は、ナット本体３０が締め付けられた際に移動フード６の折り曲げられた連結部２２ａの当接面２３に圧接される圧接面２５ａを形成している。すなわち、移動フード６の連結部２２ａの当接面２３もその全体が圧接面として形成されている。
【００４８】
また、ナット本体３０の連結部３０ａの係合凸部３５は、リール脚受け部２４の先端面と軽く接触している（あるいは、僅かな距離離間している）。この場合、ナット部材８の締め付け力は、圧接面２３，２５ａのみに作用し、係合凸部３５とリール脚受け部２４の先端面との接触面には殆ど（あるいは、全く）作用しないようになっている。すなわち、係合凸部３５とリール脚受け部２４の先端面は、互いに圧接されない非圧接面として形成されている。
【００４９】
また、クリック機構においては、弾性体４０のバネ４２と凸部４３とがリール脚受け部２４に設けられ、凸部４３と係合する凹部４１（貫通孔４１ａ）がナット本体３０側の係合凸部３５に形成されており、第１の実施形態とその配設形態が逆になっている。なお、弾性体４０の組み込み構造は、リール脚受け部２４に穴２９が形成されている以外、図６に示される構造と全く同一である。
【００５０】
また、ナット部材８と移動フード６は、その接続部外周面に段差が殆ど（或いは、全く）形成されないように、圧接部分の外径が略同一に設定されている（段差は、０．５ｍｍ以内、より好ましくは０．２ｍｍ以内に設定され、端部がＲ状で手が痛くならないように形成されている）。また、ナット部材８および移動フード６は、その圧接部分の外径が、２０ｍｍ〜３３ｍｍ、好ましくは２１ｍｍ〜２９ｍｍの範囲内に設定されている。なお、それ以外の構成は第１の実施形態と同一である。
【００５１】
このような構成では、移動フード６と固定フード１０との間でリールの取付脚部を挟持しつつナット部材８を強く締め込むと、移動フード６の圧接面２３全体とナット部材８の圧接面２５ａ全体とが互いに圧接する一方、クリック機構が配設された非圧接面すなわち係合凸部３５とリール脚受け部２４の先端面との接触面には圧接力が作用しない。
【００５２】
このように、本実施形態のリールシート１Ａにおいて、クリック機構は、圧接面２３，２５ａの径方向内側に位置し且つ圧接力が作用しない非圧接面に配設されている。したがって、ナット部材８の締め付け時の応力がクリック機構に作用することがなく、ナット部材８の締め付け具合によらず常に良好で安定したクリック音を得ることができる。また、回動方向の負荷がクリック機構に作用することもないため、クリック機構の耐久性が良好となり、長期間の使用が可能になるとともに、軽い力量でナット部材８を円滑に回動操作することできる。なお、それ以外の効果は第１の実施形態と同様である。
【００５３】
図５および図８は本発明の第３の実施形態を示している。なお、本実施形態において、第１の実施形態と共通する構成部分については、同一符号を付してその説明を省略する。
【００５４】
図５に示されるように、本実施形態のリールシート１Ｂにおいて、リール脚受け部２４の先端外周面には環状の凹部２４ａが形成されている。この場合、凹部２４ａの端面は、ナット部材８と圧接する圧接面２３を形成している。また、補強リング３２の折り曲げられた基端３２ａは、ナット本体３０の基端面とリール脚受け部２４の先端面との間に所定のクリアランスＳを形成するように、リール脚受け部２４の凹部２４ａに係合しており、ナット部材８が締め付けられた際に凹部２４ａの圧接面２３に圧接される圧接面２５を有している。
【００５５】
ナット本体３０の基端面とリール脚受け部２４の先端面との間に形成されたクリアランスＳには、クリック機構が設けられている。このクリック機構は、クリアランスＳ内に配設された弾性体６０と、クリアランスＳに面するリール脚受け部２４の先端面に形成され且つ弾性体６０と係合する凹部６２とからなる。また、凹部６２は、リール脚受け部２４の先端面の周方向に沿って所定の間隔で形成された複数の穴部６２ａからなる。
【００５６】
図８に詳しく示されるように、弾性体６０は、リング状の板材によって形成されており、ナット本体３０に固定される固定部６１を有する下端部６０ａと、下端部６０ａから周方向および前方に張り出して延びる延伸部６０ｃと、延伸部６０ｃからさらに前方に突出して凹部６２と係合する凸部６０ｂとからなる。下端部６０ａは、その固定部６１がビス止めや嵌合、圧入等によってナット本体３０の先端面に固定されるとともに、補強リング３２に接触して配置されている。また、延伸部６０ｃは、弾性体６０の半円以上にわたって形成されるとともに、凸部６０ｂを凹部６２と係合する方向（移動フード６側に向かう軸方向前方）に付勢し得るようにバネ性をもってクリアランスＳ内にフリー状態で配設される。
【００５７】
以上説明したように、本実施形態のリールシート１Ｂでは、互いに圧接しない非圧接面であるナット本体３０の基端面とリール脚受け部２４の先端面とにクリック機構が設けられているため、第２の実施形態と同一の作用効果を得ることができる。また、弾性体６０の延伸部６０ｃは、凸部６０ｂを凹部６２と係合する方向に付勢し得るようにバネ性をもってクリアランスＳ内にフリー状態で配設されるているため、クリック音を大きく響かせることができるとともに、ナット部材８の回動操作を円滑にすることができる。特に、本実施形態においては、弾性体６０の下端部６０ａが補強リング３２に接触するように配置されている。そのため、手や指が接触し易い補強リング３２までクリック音が響き易くなり、クリック音が大きくなるとともに、指の感触によってもクリック音を感知することが可能となる。なお、本実施形態においては、弾性体６０と補強リング３２とを一体に形成しても良い。
【００５８】
図９は本発明の第４の実施形態を示している。本実施形態は、第３の実施形態の構成をトリガー付のキャスティングハンドルのリールシートに適用した例である。したがって、本実施形態において、第１および第３の実施形態と共通する構成部分については、同一符号を付してその説明を省略する。
【００５９】
本実施形態のリールシート１Ｃにおいて、弾性部材６０の凸部６０ｂと係合する凹部（穴部）６２ａは、リール脚受け部２４の先端面に固着された環状の係合部材７３に形成されている。リール脚受け部２４には、穴部６２ａと対向する部位にそれぞれ、クリック音の音響効果を高めるべく中空部７９が形成されている。リールシート本体４には、トリガ７４が形成され、また、グリップ７５が固着されている。ナット本体３０には、コルクや発砲材等の柔軟部材からなるグリップ７０が固着されている。なお、それ以外の構成は第３の実施形態と同一である。したがって、第３の実施形態と同様の作用効果を得ることができる。
【００６０】
図１０は本発明の第５の実施形態を示している。本実施形態は、第２の実施形態の変形例であり、移動フード６の連結部２２ａとナット部材８の連結部３０ａとの噛み合い状態を上下逆に設定し、圧接面２３，２５ａの径方向外側にクリック機構を配設したものである。ただし、クリック機構は、ナット部材８および移動フード６の外側に部分的に突出したり露出しないようになっている。なお、それ以外の構成は、第２の実施形態と同一であるため、同一符号を付してその説明を省略する。
【００６１】
【発明の効果】
以上説明したように、本発明によれば、常に良好なクリック音が得られるとともに、耐久性に優れ、しかも、不純物の侵入によって作動不良を起こさない操作性の良好なリール装着装置を提供できる。
【図面の簡単な説明】
【図１】本発明の第１の実施形態に係るリールシートの側面図である。
【図２】図１のリールシートの側断面図である。
【図３】図２のＡ−Ａ線に沿う断面図である。
【図４】本発明の第２の実施形態に係るリールシートの側断面図である。
【図５】本発明の第３の実施形態に係るリールシートの側断面図である。
【図６】第１の実施形態のクリック機構を構成する弾性体の拡大断面図である。
【図７】図６の弾性体の変形例に係る断面図である。
【図８】（ａ）は第３の実施形態のクリック機構を構成する弾性体の側断面図、（ｂ）は（ａ）の弾性体の正面図である。
【図９】本発明の第４の実施形態に係るリールシートの側断面図である。
【図１０】本発明の第５の実施形態に係るリールシートの側断面図である。
【符号の説明】
１…リールシート（リール装着装置）
２…竿管（釣竿）
４…シート本体
６…移動フード
８…ナット部材
２３，２５…当接面
２５ａ…圧接面
４０…弾性体
４１…係合部
【図１】
0003662776.tif 000002
【図２】
0003662776.tif 000003
【図３】
0003662776.tif 000004
【図４】
0003662776.tif 000005
【図５】
0003662776.tif 000006
【図６】
0003662776.tif 000007
【図７】
0003662776.tif 000008
【図８】
0003662776.tif 000009
【図９】
0003662776.tif 000010
【図１０】
0003662776.tif 000011